(57)【要約】【課題】  清掃作業を常に清浄な条件を保って行えるようにするとともに、清浄性を保つための洗浄用水の問題を心配しなくても良いカバー付きモップ装置を提供する。【解決手段】  モップと、その払拭部を覆うカバーとから成るモップ装置について、カバー１５…をモップ１１に脱着可能に設ける。モップ１１の払拭部は、柄１２の先端の台部１３に取り付けた払拭体１４を有し、カバー１５…はモップ１１の払拭部よりも長めの寸法を有しかつ払拭部の下部で開いているほかは閉じている袋状のもので、上部に柄１２を通すための通口１７を有している。また１個のモップ１１に対して複数個のカバー１５…を組み合わせて使用するものとし、カバー１５…によって汚れを払拭する清掃作業を実行し、使用済みの複数個のカバー１５…はまとめて洗浄する。【選択図】          図１
0003107697.tif 000002
【実用新案登録請求の範囲】
【請求項１】
モップと、その払拭部を覆うカバーとから成るモップ装置であって、カバーはモップに脱着可能であるカバー付きモップ装置。
【請求項２】
モップの払拭部は、柄の先端の台部に取り付けた払拭体を有し、カバーはモップの払拭部よりも長めの寸法を有しかつ払拭部の下部で開いているほかは閉じている袋状のもので、上部に柄に通すための通口を有している請求項１記載のカバー付きモップ装置。
【請求項３】
モップと、その払拭部を覆うカバーとから成るモップ装置であって、１個のモップについて複数個のカバーを組み合わせるものとし、各カバーはモップの柄に抜き差しすることにより脱着可能であり、カバーを装着し或いは別のカバーを交換することにより、カバーによって汚れを払拭する清掃作業を実行し、使用済みの複数個のカバーをまとめて洗浄するようにした請求項１記載のカバー付きモップ装置。
【考案の詳細な説明】
【技術分野】
【０００１】
本考案は、モップと、その払拭部を覆うカバーとから成るモップ装置に関するものである。
【背景技術】
【０００２】
例えばビルメンテナンスやマンション管理などを業務とする作業員の多くは、定年退職者など体力的に低下した中高年層の人達である。その業務の中で中心となるのは清掃作業であるが、それに対して問題となるのはマンションの構造等が清掃作業の都合の良いようにはできていないことである。共用部分のフロアや廊下、階段の清掃などは水拭き用モップを使用するので、モップ専用バケツにより頻繁に汚れを落としながら作業しなければならない。しかしこのバケツは重く、水を交換することは中高年者にとって大変な負担である。特に高層マンションでは清掃のための水の確保と排水自体が不便なことと相俟って作業をより困難なものにしている。
【０００３】
このような状況下で使用する器具、用具は効率的であることが望まれるにも拘らず、モップ類に関する改良ないし、使用上の改善策が提案されることは少ない。実開昭４９−２１９６７号の考案は、柄の先に取り付けた拭体に、上端を拭体の基部に止め付けた絞り袋を冠せ、その下端にリングを取り付けてこのリングを、上端を柄に遊合した操作レバーにより操作し得るようにしたものであるから、絞る作業は軽減される可能性もあるが、モップの洗浄作業については軽減されない。実開昭５２−３１６９号の考案についても同様と考えられる。モップの洗浄については専用バケツの改良に関する工夫も少なくないが、それらは絞り方又は絞る機構が主であり、重いバケツや水の問題の助けとなるものは見当たらない。
【０００４】
【特許文献１】実開昭４９−２１９６７号
【特許文献２】実開昭５２−３１６９号
【考案の開示】
【考案が解決しようとする課題】
【０００５】
本考案は前記の点に着目してなされたもので、その課題は、清掃作業を常に清浄な条件を保って行えるようにするとともに、清浄さを保つための洗浄用水の問題を心配しなくても良いカバー付きモップ装置を提供することである。また本考案の他の課題はカバーによる効率的な清掃作業を可能とし、さらにカバーを外しモップとしての清掃作業も併せて行えるようにすることである。
【課題を解決するための手段】
【０００６】
前記の課題を解決するため本考案は、モップと、その払拭部を覆うカバーとから成るモップ装置について１個のモップについて複数個のカバーを組み合わせるものとし、各カバーはモップの柄に抜き差しすることにより脱着可能であり、カバーを装着し或いは別のカバーを交換することにより、カバーによって汚れを払拭する清掃作業を実行し、使用済みの複数個のカバーをまとめて洗浄するようにするという手段を講じたものである。
【０００７】
本考案に係るモップ装置に適用されるモップは、柄の先に払拭部のついた一般的な型のモップである。この種のモップの払拭部には、台に相当する部分があり、それに例えば紐状の払拭体を取り付け、拭き掃除を行えるようにした構造を有する。カバーは、その払拭部を覆う布製、袋状のものであり、本考案では、このカバーを拭き掃除に使用することが特徴になっている。カバーは、１個のモップについて複数個用意し、これらのカバーを１個のモップに着脱して清掃作業を行なう。
【０００８】
従ってカバーはモップの払拭部を覆って取り付けるが、そのための具体的な方法は任意であり、特に固定手段も必要としない。モップの構造が、前記のように払拭部として柄の先端に台部を有し、そこに払拭体を取り付けたものである場合、カバーは、モップの払拭部よりも長目の寸法を有しかつ払拭部の下部が開いているほかは全体を覆う袋状のもので上部に柄を通すための通口を持った形態を有していることが望ましい。
【０００９】
このようなカバーをモップの柄に装着して、カバーを払拭部材とする拭き掃除などの清掃作業を行い、汚れたカバーは新たなカバーと交換することを繰り返して、組み合わされた複数個のカバーを使用する。１個のモップについて組み合わされている複数個のカバーを全て使い終わったなら、使用済みのカバーをまとめて洗浄する。複数個のカバーの量は、前記ビルメンテナンスやマンション管理における清掃作業に必要十分な量であり、１個のモップについて数個〜１０個が適当である。故に作業者は、複数個のカバーで清掃作業を効率良く実行し得るものであり、モップの洗浄は清掃作業終了後に別の場所でまとめて行なえば良い。
【考案の効果】
【００１０】
本考案は以上の如く構成されかつ作用するものであるから、清掃作業を、常に清浄な条件を保つカバーによって行なえるようになるとともに、カバーは汚れたら別のカバーと交換するので洗浄のための水の問題を心配せずに済み、カバーによる効率的な清掃作業を実現するという効果を奏する。なお、すべてのカバーを使い尽くした後はモップ自体の払拭部を使用して清掃作業を継続できるのは当然である。
【考案を実施するための最良の形態】
【００１１】
以下図示の実施形態を参照して本考案を詳細に説明する。図１は本考案に係るカバー付きモップ装置１０の１実施形態を示しており、モップ１１は、柄１２の先に台部１３を有し、そこに紐状の払拭体１４を取り付け、払拭部を形成した構造を有している。
【００１２】
カバー１５は、モップ１１の柄１２に抜き差しすることにより脱着するもので、モップ１１の払拭体１４よりも長目の寸法を有し、かつ払拭部１４の下部が開いているほかは閉じている袋状のもので払拭部全体が覆われる。カバー１５の両側縁はほぼ平行かやや裾広がりとする（図２参照）。１６は下部の開口を示しており、また１７は上部の通口を示している。従ってカバー１５は、払拭部を覆えるように払拭部よりも一回り大形に布材を用いて形成する。
【００１３】
カバー１５は前記のように袋状構造を有することを基本とするものではあるが、それに加えて次のような変形を用いることができる。なお、図１に符号１５で示されている基本となるカバーは、いわゆる万能クロスなどと称されている布材やタオル地によって形成されている。またカバー１５−１は角状の先端１８を有する形状に開口縁を形成したもので、床の隅などに角状の先端１８を入り込ませて汚れを除去し易くする。カバー１５―２はカバー１５−１の下部にいわゆる化学雑巾のような布材を重ねて縫い付けたもので、これも床の隅などに布材先端１９を入り込ませて汚れを除去し易くするようになっている。カバー１５−３は、上下を開口して払拭部への着脱を容易化したもので、台部１３の上に回して掛ける肩片２１、２１を上部開口２２の両側を覆うように設けた例である。肩片２１、２１はフックとループから成る着脱部材によって開閉され、両肩片間に上部の通口１７が形成される。
【００１４】
本考案の対象とするモップは、軽く扱い易いいわゆる柄付きのぞうきんとして社会に普及しておりあらゆる所に見出すことができる。しかし払拭部を取り外しにくいため汚れ切ってしまうと水洗が面倒であり、専用のバケツなどが必要であることも手伝って、使いにくい面がある。そのため払拭部をカバーで包む本考案のようにすれば、モップの軽快な使用性は失われず、かつモップ本体を即座に汚してしまうことは避けられるので使いやす
く、作業も非常に効率良く行なえるようになる。
【図面の簡単な説明】
【００１５】
【図１】本考案に係るカバーつきモップ装置の実施形態を示す斜視図。
【図２】Ａは本案装置の正面図、Ｂは縦断面図。
【符号の説明】
【００１６】
１０  カバー付きモップ装置
１１  モップ
１２  柄
１３  台部
１４  払拭体
１５、１５−１、１５−２、１５−１３  カバー
１６  下部の開口
１７  上部の通口
１８、１９  先端
２２  上部の開口
【図１】
0003107697.tif 000003
【図２】
0003107697.tif 000004